(57)【特許請求の範囲】
【請求項１】
着脱可能なメモリ媒体と、前記メモリ媒体と通信して該メモリ媒体に記録された情報データをデコード再生する再生装置と、から構成される情報再生システムであって、
前記メモリ媒体は、
第１の識別情報、第２の識別情報、所定のエンコード方式によりエンコードされた情報データ、及び、そのエンコード方式に対応するデコード機能を定義するプログラム、を格納する格納手段と、
前記再生装置からのコマンドに応答して、前記格納手段に格納されている前記第１の識別情報、前記情報データ、前記プログラムを送信して前記再生装置と通信する通信手段と、
を備え、
前記再生装置は、
前記プログラムを前記通信手段を介して記憶するための揮発性記憶手段と、
前記揮発性記憶手段に記憶されたプログラムに従って、該プログラムに対応するエンコード方式によりエンコードされた情報データをデコード再生する信号処理手段と、
前記メモリ媒体にコマンドを送付して、前記メモリ媒体から前記通信手段を介して供給される前記プログラムを前記揮発性記憶手段に格納し、前記信号処理手段に実行させるとともに、前記メモリ媒体から前記通信手段を介して供給される情報データを前記信号処理手段に供給して、デコード再生に供する再生制御手段と、
所定の識別情報を入力する入力手段と、
不揮発性の書き換え可能記憶手段と、
各情報再生装置に対応付けられた第２の識別情報を予め保持する保持手段と、
を備え、
前記再生制御手段は、
前記メモリ媒体が初めて装着されると、前記入力手段から入力された識別情報を前記メモリ媒体から供給された第１の識別情報と照合して一致するか否かを判別し、一致すると判別すると、該第１の識別情報を、前記書き換え可能記憶手段に書き込み且つ前記保持手段が保持する第２の識別情報を前記通信手段を介して前記メモリ媒体に書き込んでから、前記エンコードされた情報データを前記通信手段を介して前記信号処理手段に供給して、デコード再生を可能とするとともに、前記入力手段により予め入力された前記書き換え可能記憶手段に記憶されているパスワード情報を前記通信手段を介して前記メモリ媒体に書き込み、
前記メモリ媒体が２回目以降に装着されると、前記通信手段を介して前記メモリ媒体から供給された第１の識別情報と前記書き換え可能記憶手段に書き込まれた第１の識別情報、前記保持手段が保持する第２の識別情報と前記メモリ媒体に前記通信手段を介して書き込まれた第２の識別情報、及び、前記書き換え可能記憶手段に記憶されているパスワード情報と前記メモリ媒体に前記通信手段を介して書き込まれたパスワード情報をそれぞれ照合し、これらが全て一致した場合にのみ、前記処理手段に前記エンコードされた情報データをデコード再生させる、
ことを特徴とする情報再生システム。
【請求項２】
前記再生制御手段は、前記メモリ媒体から前記通信手段を介して供給された第１の識別情報が前記書き換え可能記憶手段に書き込まれているか否かを判別することにより、前記再生装置に前記メモリ媒体が初めて装着されたか２回目以降に装着されたかを判別する、
ことを特徴とする請求項１に記載の情報再生システム。
【請求項３】
前記格納手段は、前記再生装置に対応する第２の識別情報を所定の個数だけ書き込むことができるように形成され、
前記再生制御手段は、前記格納手段に、前記再生装置に対応する第２の識別情報を書き込むことができるか否かを判別し、書き込めないと判別すると、前記エンコードされた情報データの前記再生装置におけるデコード再生を拒絶する、
ことを特徴とする請求項１又は２に記載の情報再生システム。
【請求項４】
第１の識別情報、第２の識別情報、所定のエンコード方式によりエンコードされた情報データ、及び、そのエンコーダ方式に対応するデコード機能を定義するプログラム、を格納する格納手段と、
外部装置からのコマンドに応答して、前記格納手段に格納されている前記第１の識別情報、前記情報データ、前記プログラムを送信して外部装置と通信する通信手段と、
を備える着脱可能なメモリ媒体と通信する情報再生装置において、
前記プログラムを前記通信手段を介して記憶するための揮発性記憶手段と、
前記揮発性記憶手段に記憶されたプログラムに従って、該プログラムに対応するエンコード方式によりエンコードされた情報データをデコードする信号処理手段と、
前記メモリ媒体にコマンドを送付して、前記メモリ媒体から前記通信手段を介して供給される前記プログラムを前記揮発性記憶手段に格納し、前記信号処理手段に実行させるとともに、前記メモリ媒体から前記通信手段を介して供給される情報データを前記信号処理手段に供給して、デコード再生に供する再生制御手段と、
所定の識別情報を入力する入力手段と、
不揮発性の書き換え可能記憶手段と、
各情報再生装置に対応付けられた第２の識別情報を予め保持する保持手段と、
を備え、
前記再生制御手段は、
前記メモリ媒体が初めて装着されると、前記入力手段から入力された識別情報を前記メモリ媒体から供給された第１の識別情報と照合して一致するか否かを判別し、一致すると判別すると、該第１の識別情報を、前記書き換え可能記憶手段に書き込み且つ前記保持手段が保持する第２の識別情報を前記通信手段を介して前記メモリ媒体に書き込んでから、前記エンコードされた情報データを前記通信手段を介して前記信号処理手段に供給して、デコード再生を可能とするとともに、前記入力手段により予め入力された前記書き換え可能記憶手段に記憶されているパスワード情報を前記通信手段を介して前記メモリ媒体に書き込み、
前記メモリ媒体が２回目以降に装着されると、前記通信手段を介して前記メモリ媒体から供給された第１の識別情報と前記書き換え可能記憶手段に書き込まれた第１の識別情報、前記保持手段が保持する第２の識別情報と前記メモリ媒体に前記通信手段を介して書き込まれた第２の識別情報、及び、前記書き換え可能記憶手段に記憶されているパスワード情報と前記メモリ媒体に前記通信手段を介して書き込まれたパスワード情報をそれぞれ照合し、これらが全て一致した場合にのみ、前記処理手段に前記エンコードされた情報データをデコード再生させる、
ことを特徴とする情報再生装置。
【請求項５】
前記再生制御手段は、前記メモリ媒体から前記通信手段を介して供給された第１の識別情報が前記書き換え可能記憶手段に書き込まれているか否かを判別することにより、前記メモリ媒体が初めて装着されたか２回目以降に装着されたかを判別する、
ことを特徴とする請求項４に記載の情報再生装置。
【発明の詳細な説明】
【０００１】
【発明の属する技術分野】
この発明は、音楽及び動画等のような音声（オーディオ）及び映像（ビデオ）情報にデータ圧縮及び暗号化等のエンコードを施して、例えば半導体メモリを用いたメモリ媒体に格納し、該メモリ媒体を装着して音声及び映像情報をデコード再生するための情報再生システム及び情報再生装置に関する。
【０００２】
【従来の技術】
近年、ディジタル化された音声及び映像情報の圧縮技術が各種研究され、提案されており、例えば音声情報の圧縮技術としては、ＤＴＳ（Digital Theater System）、ＡＣ−３（Audio Code number 3〜米国のドルビー研究所で開発されたデジタルサラウンドシステムであり、映画、DVD（Digital VideoDisc）、CATV（Community Antenna Television）、及び米国の次世代ＴＶ規格（ATV）等で採用されている）、及びＡＡＣ（MPEG 2 AAC: MPEG 2 Advanced Audio Coding〜MPEG(Moving Picture Experts Group)におけるMPEG 2の音声部分として開発が開始され1997年4月にISO 13818-7として標準化された音声コーディング）等が知られている。
【０００３】
上述のような、ディジタル化された音声及び映像情報の圧縮技術の発展に伴い、音楽又は動画を、圧縮等のエンコードを施し、データのサイズを縮小して、記録及び伝送に供することが行われている。
例えば圧縮エンコードした音楽又は動画を、半導体メモリ等を用いたメモリ媒体に記録して、再生に供するようにしたり、通信系を介して伝送し、再生に供するようにしたりする。
そして、メモリ媒体を用いる場合にはその再生装置に、通信系を用いる場合にはその受信装置に、それぞれ復元（圧縮されたデータの復元は、伸長又は解凍などと称されることもある）等のためのデコーダを内蔵し、エンコードされた情報を復元して再生に供するようにしている。
【０００４】
従来、音楽又は動画を記録するためのメモリ媒体としては、ＰＣＭＣＩＡ（Personal Computer Memory Card International Association）規格に準拠する在来のＰＣカード、あるいはスマートメディア（商標）及びコンパクトフラッシュ（商標）等のようなスモールカードを用いている。これらのような、従来より用いているメモリ媒体は、半導体メモリ等からなるＲＯＭ（Read Only Memory）、あるいはＲＡＭ（Random Access Memory）のみで構成され、例えば音声データ等の情報と共にＩＤコード（識別コード）が記録されている。このＩＤコードは、その種のメモリ媒体がＰＣ（Personal Computer〜いわゆる「パソコン」）の通常のデータ記憶などにも使われるため、記憶情報が通常のＰＣデータであるか、音声データであるかなどを識別するために用いられる識別情報である。
【０００５】
従来のこの種の再生装置には、対象とする特定の単一の圧縮エンコード方式に対応するデコーダが組み込まれていて、単にメモリ媒体から読み出したデータをデコードする構成となっている。再生装置のマイクロコンピュータ等からなる制御部は、メモリに書き込まれているＩＤコードを読み出し、その再生装置で再生可能なデータであるか否かを判別する。再生可能なデータであることを示すＩＤコードであれば、その再生装置に内蔵したデコーダを用いて再生し、再生可能でないデータであることを示すＩＤコードであれば、そのデータを無視する。
【０００６】
すなわち、図５に示すように、従来の再生装置１００は、ＣＰＵ（Central Processing Unit）１０１、デコーダ１０２、バッファ１０３、ＤＡＣ（Digital/Analog Converter）１０４、操作キー１０５、表示部１０６、受光部１０７及びコネクタＣ１０１を備えている。この再生装置１００に使用するメモリ媒体２００は、図示するように、ＲＯＭ２０１及びコネクタＣ２０１のみを有して構成される。
【０００７】
再生装置１００のデコーダ１０２はコネクタＣ１０１に接続され、メモリ媒体２００のＲＯＭ２０１はコネクタＣ２０１に接続されている。コネクタＣ２０１とコネクタＣ１０１を用いてメモリ媒体２００を再生装置１００に接続することにより、メモリ媒体２００のＲＯＭ２０１は、再生装置１００のデコーダ１０２に接続される。メモリ媒体２００が接続されると、再生装置１００のＣＰＵ１０１は、デコーダ１０２を介して、メモリ媒体２００のＲＯＭ２０１からＩＤコードを読み取り、その再生装置１００において再生可能な音声データであるか否かを判別する。
【０００８】
ＣＰＵ１０１は、ＩＤコードが、再生可能な例えば音声データであることを示すものでない場合には、それを無視し、必要に応じて再生可能でないことを示すエラーメッセージ等を表示部１０６に画面表示させる。ＣＰＵ１０１は、ＩＤコードが、再生可能な音声データであることを示すものである場合には、デコーダ１０２により、圧縮エンコードされた音声データをデコードし復元して、バッファ１０３を介して出力端子Ｔ１１からディジタル出力として出力し、且つＤＡＣ１０４によりアナログ信号に変換して、出力端子Ｔ１２からアナログ出力として出力して再生に供する。すなわち、出力端子Ｔ１２には、イヤレシーバ、ヘッドフォンあるいは（必要に応じて増幅器を内蔵する）スピーカ装置等を接続する。ディジタル出力処理機能を有する再生系を使用することができる場合には、出力端子Ｔ１１に接続する。
【０００９】
操作キー１０５は、再生動作に関するユーザによる所要の操作入力をＣＰＵ１０１に与える。表示部１０６は、再生動作、操作キー１０５による操作情報等に応じたＣＰＵ１０１における操作入力あるいは再生動作状況等をユーザに認識させるべく画面表示する。受光部１０７は、リモートコントロール用の赤外光を受光処理して、リモートコントロール操作情報に応じてＣＰＵ１０１を制御する。
【００１０】
なお、図５に示したものとほぼ同様に特定のエンコード方式に対応する単一のデコーダのみを備えた再生装置の一例が、特開平１０−２１０４０９号公報に開示されている。
【００１１】
【発明が解決しようとする課題】
上述した従来のメモリ再生装置においては、メモリ媒体に音声又は映像情報等のデータ及び情報の種類を示すＩＤコードのみが記憶されるため、圧縮等のエンコード方式が異なるメモリ媒体の再生を行うことができない。すなわち、そのメモリ再生装置において使用することが可能なメモリ媒体のエンコード方式が限定されてしまう。言い換えれば、メモリ媒体のエンコード方式により、再生可能なメモリ再生装置が制限されてしまい、メモリ媒体においてもメモリ再生装置においても多種類のエンコード方式を利用することができない。このため、多種類のエンコード方式をサポート可能としようとするとメモリ再生装置が複雑化し、製造コストも上昇する。
【００１２】
しかも、この場合、メモリ媒体に音声又は映像情報を記憶させて販売し、ソフトウェア商品として販売するような用途も期待されるが、メモリ媒体の記憶情報が単純なデータ及びＩＤコードであり、再生時の読出し情報と共通であるため、記憶情報のデッドコピーを容易に作成することができ、不正コピーを防止することが容易ではない。
【００１３】
この発明は、上述した事情に鑑みてなされたもので、簡単な構成で、種々の圧縮等のエンコード方式に柔軟に対応することができ、不正使用を容易に防止することができる情報再生システム及び情報再生装置を提供することを目的とする。
【００１４】
【課題を解決するための手段】
上記目的を達成するため、この発明の第１の観点にかかる情報再生システムは、
着脱可能なメモリ媒体と、前記メモリ媒体と通信して該メモリ媒体に記録された情報データをデコード再生する再生装置と、から構成されるものであって、
前記メモリ媒体は、
第１の識別情報、所定のエンコード方式によりエンコードされた情報データ、及び、そのエンコード方式に対応するデコード機能を定義するプログラム、を格納する格納手段と、
前記再生装置からのコマンドに応答して、前記格納手段に格納されている前記第１の識別情報、前記情報データ、前記プログラムを送信して前記再生装置と通信する通信手段と、
を備え、
前記再生装置は、
前記プログラムを前記通信手段を介して記憶するための揮発性記憶手段と、
前記揮発性記憶手段に記憶されたプログラムに従って、該プログラムに対応するエンコード方式によりエンコードされた情報データをデコード再生する信号処理手段と、
前記メモリ媒体にコマンドを送付して、前記メモリ媒体から前記通信手段を介して供給される前記プログラムを前記揮発性記憶手段に格納し、前記信号処理手段に実行させるとともに、前記メモリ媒体から前記通信手段を介して供給される情報データを前記信号処理手段に供給して、デコード再生に供する再生制御手段と、
所定の識別情報を入力する入力手段と、
不揮発性の書き換え可能記憶手段と、
各情報再生装置に対応付けられた第２の識別情報を予め保持する保持手段と、
を備え、
前記再生制御手段は、
前記メモリ媒体が初めて装着されると、前記入力手段から入力された識別情報を前記メモリ媒体から供給された第１の識別情報と照合して一致するか否かを判別し、一致すると判別すると、該第１の識別情報を、前記書き換え可能記憶手段に書き込み且つ前記保持手段が保持する第２の識別情報を前記通信手段を介して前記メモリ媒体に書き込んでから、前記エンコードされた情報データを前記通信手段を介して前記信号処理手段に供給して、デコード再生を可能とするとともに、前記入力手段により予め入力されし前記書き換え可能記憶手段に記憶されているパスワード情報を前記通信手段を介して前記メモリ媒体に書き込み、
前記メモリ媒体が２回目以降に装着されると、前記通信手段を介して前記メモリ媒体から供給された第１の識別情報と前記書き換え可能記憶手段に書き込まれた第１の識別情報、前記保持手段が保持する第２の識別情報と前記メモリ媒体に前記通信手段を介して書き込まれた第２の識別情報、及び、前記書き換え可能記憶手段に記憶されているパスワード情報と前記メモリ媒体に前記通信手段を介して書き込まれたパスワード情報をそれぞれ照合し、これらが全て一致した場合にのみ、前記処理手段に前記エンコードされた情報データをデコード再生させる、
ことを特徴とする。
【００１５】
また、前記再生制御手段は、前記メモリ媒体から前記通信手段を介して供給された第１の識別情報が前記書き換え可能記憶手段に書き込まれているか否かを判別することにより、前記メモリ媒体が初めて装着されたか２回目以降に装着されたかを判別するようにしてもよい。
【００１６】
さらに、前記格納手段は、前記再生装置に対応する第２の識別情報を所定の個数だけ書き込むことができるように形成され、
前記再生制御手段は、前記格納手段に、前記再生装置に対応する第２の識別情報を書き込むことができるか否かを判別し、書き込めないと判別すると、前記エンコードされた情報データの前記再生装置におけるデコード再生を拒絶するようにしてもよい。
【００１７】
また、この発明の第２の観点に係る情報再生装置は、
第１の識別情報、所定のエンコード方式によりエンコードされた情報データ、及び、そのエンコーダ方式に対応するデコード機能を定義するプログラム、を格納する格納手段と、
外部装置からのコマンドに応答して、前記格納手段に格納されている前記第１の識別情報、前記情報データ、前記プログラムを送信して外部装置と通信する通信手段と、
を備える着脱可能なメモリ媒体と通信する情報再生装置において、
前記プログラムを前記通信手段を介して記憶するための揮発性記憶手段と、
前記揮発性記憶手段に記憶されたプログラムに従って、該プログラムに対応するエンコード方式によりエンコードされた情報データをデコードする信号処理手段と、
前記メモリ媒体にコマンドを送付して、前記メモリ媒体から前記通信手段を介して供給される前記プログラムを前記揮発性記憶手段に格納し、前記信号処理手段に実行させるとともに、前記メモリ媒体から前記通信手段を介して供給される情報データを前記信号処理手段に供給して、デコード再生に供する再生制御手段と、
所定の識別情報を入力する入力手段と、
不揮発性の書き換え可能記憶手段と、
各情報再生装置に対応付けられた第２の識別情報を予め保持する保持手段と、
を備え、
前記再生制御手段は、
前記メモリ媒体が初めて装着されると、前記入力手段から入力された識別情報を前記メモリ媒体から供給された第１の識別情報と照合して一致するか否かを判別し、一致すると判別すると、該第１の識別情報を、前記書き換え可能記憶手段に書き込み且つ前記保持手段が保持する第２の識別情報を前記通信手段を介して前記メモリ媒体に書き込んでから、前記エンコードされた情報データを前記通信手段を介して前記信号処理手段に供給して、デコード再生を可能とするとともに、前記入力手段により予め入力されし前記書き換え可能記憶手段に記憶されているパスワード情報を前記通信手段を介して前記メモリ媒体に書き込み、
前記メモリ媒体が２回目以降に装着されると、前記通信手段を介して前記メモリ媒体から供給された第１の識別情報と前記書き換え可能記憶手段に書き込まれた第１の識別情報、前記保持手段が保持する第２の識別情報と前記メモリ媒体に前記通信手段を介して書き込まれた第２の識別情報、及び、前記書き換え可能記憶手段に記憶されているパスワード情報と前記メモリ媒体に前記通信手段を介して書き込まれたパスワード情報をそれぞれ照合し、これらが全て一致した場合にのみ、前記処理手段に前記エンコードされた情報データをデコード再生させる、
ことを特徴とする。
【００１８】
また、前記再生制御手段は、前記メモリ媒体から前記通信手段を介して供給された第１の識別情報が前記書き換え可能記憶手段に書き込まれているか否かを判別することにより、前記メモリ媒体が初めて装着されたか２回目以降に装着されたかを判別するようにしてもよい。
【００２６】
【発明の実施の形態】
以下、この発明の実施の形態を図面を参照して説明する。
【００２７】
図１を参照して、この発明の実施の形態に係る情報再生装置を適用した情報再生システムを説明する。図１は、情報再生システムの構成を模式的に示している。
【００２８】
図示するように、この情報再生システムは、再生装置１及びこれに着脱可能なメモリ媒体２で構成される。
【００２９】
再生装置１は、ＣＰＵ（Central Processing unit）１１と、ＤＳＰ（Digital Signal Processor）１２と、ＲＡＭ（Random Access Memory）１３と、バッファ１４と、ＤＡＣ（Digital/Analog Converter）１５と、フラッシュＲＡＭ１６と、操作キー１７と、表示部１８と、受光部１９と、コネクタＣ１１及びＣ１２とを備えている。
【００３０】
ＣＰＵ１１は、マイクロプロセッサ等から構成され、コネクタＣ１１を介して、メモリ媒体２との間でＩＤコード、パスワード及び制御情報の授受を行うと共に再生装置１内の各部の動作を制御するためものである。
【００３１】
ＤＳＰ１２は、コネクタＣ１２を介して、メモリ媒体２からソフトウェアとしてのプログラムデータをロードして、種々の信号処理を行うＬＳＩ（大規模集積回路）である。この場合、ＤＳＰ１２は、デコーダ機能として動作させるためのプログラムデータを与えることにより、メモリ媒体２から読み出した情報データのデコーダとして機能する。すなわち、ＤＳＰ１２は、種々のエンコード方式に対応するプログラムデータをロードすれば、種々のエンコード方式に対応するデコーダとして機能させることができる。
【００３２】
ＲＡＭ１３は、揮発性の書き換え可能メモリであり、ＣＰＵ１１の制御によって、メモリ媒体２から読み込んだプログラムデータを書き込んで、ＤＳＰ１２にロードさせる。
【００３３】
バッファ１４は、ＤＳＰ１２でデコードされたディジタル情報を安定化して出力端子Ｔ１に出力するためのものである。
【００３４】
ＤＡＣ１５は、ＤＳＰ１２でデコードされたディジタル情報をアナログ信号に変換して出力端子Ｔ２に出力するためのものである。
【００３５】
出力端子Ｔ１は、ディジタル出力処理機能を有する再生系を接続するための端子である。また、出力端子Ｔ２は、イヤレシーバ、ヘッドフォンあるいは必要に応じて増幅器を内蔵するスピーカ装置等を接続するための端子である。
【００３６】
フラッシュＲＡＭ１６は、不揮発性の書き換え可能メモリであり、第１の識別情報であるメモリ媒体２側の第１のＩＤコード及びパスワードを記憶する。
ここで、第１のＩＤコードは、メモリ媒体２のＣＰＵ２１内のＲＯＭに記録されるとともに、メモ（印刷物）等の形でメモリ媒体２に添付して配布される。そして、ユーザが操作キー１７を操作して、メモ（印刷物）に記載された第１のＩＤコードを再生装置１に入力すると、ＣＰＵ１１及びＣＰＵ２１は、操作キー１７を介して入力されたＩＤコードとメモリ媒体２に記録されたものとが照合された後、一致していればフラッシュＲＡＭ１６に書き込む。
【００３７】
また、パスワードは、予め操作キー１７を介してのユーザによる登録操作により、フラッシュＲＡＭ１６に書き込まれ、メモリ媒体２を接続した際にメモリ媒体２のフラッシュＲＡＭ２２に転送される。パスワードは、操作キー１７の操作により、変更することができる。
【００３８】
操作キー１７は、キーパッド等から構成され、ユーザがこの再生装置１に、再生動作に関する命令やＩＤコードを入力するためのキー入力部である。
【００３９】
表示部１８は、ＬＣＤ（Liquid Crystal Display）等から構成され、再生動作、操作キー１７による操作情報等に応じたＣＰＵ１１における操作入力あるいは再生動作状況等をユーザに認識させるべく画面表示するためのものである。
【００４０】
受光部１９は、リモートコントロール用の赤外光信号等を受光処理して、リモートコントロール操作情報に応じてＣＰＵ１１を制御する。
【００４１】
また、この再生装置１に着脱可能なメモリ媒体２は、ＣＰＵ２１と、フラッシュＲＡＭ２２と、ＲＯＭ（Read Only Memory）２３と、コネクタＣ２１及びＣ２２とから構成される。
【００４２】
ＣＰＵ２１は、マイクロプロセッサ等を用いて構成され、メモリ媒体２内の動作を制御すると共に、コネクタＣ２１を介して再生装置１のＣＰＵ１１との間のデータの転送及び制御情報の通信を制御する。
【００４３】
フラッシュＲＡＭ２２は、不揮発性の書き換え可能メモリであり、第２の識別情報である再生装置１側の第２のＩＤコード及びパスワードを記憶する。ここで、第２のＩＤコードは、再生装置１のＣＰＵ１１内のＲＯＭに記録されており、ＣＰＵ１１，２１の制御により、フラッシュＲＡＭ２２に書き込まれる。
また、パスワードは、ユーザによる登録操作により、予め再生装置１のフラッシュＲＡＭ１６に書き込まれており、メモリ媒体２を再生装置１に接続した際にフラッシュＲＡＭ１６からフラッシュＲＡＭ２２に転送される。
【００４４】
ＲＯＭ２３は、書き換え不可能な不揮発性メモリであり、音声及び映像情報等の情報データが所定のエンコード方式により圧縮されて書き込まれており、且つＤＳＰ１２にそのエンコード方式に対応するデコード機能を与えるためのプログラムデータが格納されている。そして、ＲＯＭ２３は、コネクタＣ２２を介して、ＤＳＰ１２に情報データやプログラムデータを送る。
【００４５】
メモリ媒体２を再生装置１に接続する際には、コネクタＣ２１をコネクタＣ１１に接続し、コネクタＣ２２をコネクタＣ１２に接続する。これにより、ＣＰＵ１１とＣＰＵ２１が接続され、ＤＳＰ１２とＲＯＭ２３が接続される。
【００４６】
次に、上述した情報再生システムの動作について説明する。
この情報再生システムは、音楽や映像等の情報データの再生に用いられ、メモリ媒体２が音楽や映像等の情報データの他、情報データをデコードするためのプログラムデータを記録し、エンコード方式に応じた柔軟な読み出しを可能とすると共に、不正使用を容易に防止することができるシステムである。
【００４７】
ここで、メモリ媒体２は、再生装置１に着脱可能なパッケージであり、ＲＯＭ２３には音楽又は映像の圧縮された情報データと、ＤＳＰ１２が情報データをデコードするためのプログラムデータが記録されている。
【００４８】
そこで、ＲＯＭ２３に記録された情報データを読み出して、音楽又は映像を再生するためには、ユーザは、まず、メモリ媒体２を再生装置１に接続する。
この際、コネクタＣ２１はコネクタＣ１１に接続し、コネクタＣ２２はコネクタＣ１２に接続する。これにより、ＣＰＵ１１とＣＰＵ２１が接続されて通信を開始する。
【００４９】
ＣＰＵ１１は、ＣＰＵ２１との通信を開始すると、図２のフローチャートに示す装置側照合処理を開始する。
【００５０】
装置側照合処理を開始すると、ＣＰＵ１１は、ＣＰＵ２１との通信により、ＣＰＵ２１内部のＲＯＭに記録された第１のＩＤコードを取得する（ステップＳ１）。
【００５１】
ＣＰＵ１１は、フラッシュＲＡＭ１６を読み取り、ＣＰＵ２１から取得した第１のＩＤコードが書き込まれているか否かを判別する（ステップＳ２）。ここで、後述するように、メモリ媒体２が既に再生装置１に接続されたことがあると、第１のＩＤコードがフラッシュＲＡＭ１６に書き込まれている。すなわち、ＣＰＵ１１は、フラッシュＲＡＭ１６を読み取って、メモリ媒体２が過去に再生装置１に接続されたことがあるか否かを判別する。
【００５２】
ＣＰＵ１１は、フラッシュＲＡＭ１６に第１のＩＤコードが書き込まれていないと判別すると（ステップＳ２にてＮＯ）、メモリ媒体２が初めて再生装置１に接続されたものであるとして（ステップＳ３）、表示部１８に「ＩＤコードを入力して下さい」等の画面表示をさせて、ユーザに第１のＩＤコードの入力を促す（ステップＳ４）。
【００５３】
ここで、第１のＩＤコードは、ユーザがメモリ媒体２を入手する際に添付されるメモ、印刷物等に記載される。そして、ユーザは、メモリ媒体２を初めて再生装置１に接続する際には、操作キー１７より第１のＩＤコードを入力する（ステップＳ５）。
【００５４】
ＣＰＵ１１は、操作キー１７から受けたＩＤコードを、上記ステップＳ１にてＣＰＵ２１から取得した第１のＩＤコードと比較し、正しいＩＤコードが入力されたか否かを判別する（ステップＳ６）。
【００５５】
ＣＰＵ１１は、正しいＩＤコードが入力されないと判別すると（ステップＳ６にてＮＯ）、「ＩＤコードが違います」等の警告を表示部１８に表示させ（ステップＳ７）、処理をステップＳ４にリターンして、再びユーザにＩＤコードの入力を促す。
【００５６】
一方、ＣＰＵ１１は、正しいＩＤコードが入力されたと判別すると（ステップＳ６にてＹＥＳ）、第１のＩＤコードをフラッシュＲＡＭ１６に書き込む（ステップＳ８）。
これにより、フラッシュＲＡＭ１６は、メモリ媒体２が再生装置１に接続されたことを記録する。従って、２回目以降にメモリ媒体２を再生装置１に接続する際には、ＣＰＵ１１は、ＣＰＵ２１から取得したＩＤコードと、フラッシュＲＡＭ１６に書き込まれたＩＤコードとを比較して照合することができる。
【００５７】
この後、ＣＰＵ１１は、メモリ媒体２が初めて再生装置１に接続されたものであることから、フラッシュＲＡＭ１６に記録されているパスワードをＣＰＵ２１に転送してフラッシュＲＡＭ２２に書き込ませる（ステップＳ９）。
ここで、パスワードは、ユーザにより操作キー１７を介して再生装置１に予め登録しておくことができる。登録されたパスワードは、フラッシュＲＡＭ１６に書き込まれ、２回目以降の接続に際しては、再生装置１のフラッシュＲＡＭ１６及びメモリ媒体２のフラッシュＲＡＭ２２にそれぞれ格納されたパスワードが一致しないと使用することができない。なお、このパスワードは、後からでも書き換えることが可能である。
このようにして、メモリ媒体２が初めて再生装置１に接続された際の設定が終了すると、ＣＰＵ１１は、再生装置１による情報データの再生が可能であるとして装置側照合処理を終了する（ステップＳ１３）。
【００５８】
一方、ＣＰＵ１１は、上記ステップＳ２にてフラッシュＲＡＭ１６に第１のＩＤコードが書き込まれていると判別すると（ステップＳ２にてＹＥＳ）、２回目以降の接続であるとして（ステップＳ１０）、パスワードの照合を行う（ステップＳ１１）。この際、ＣＰＵ１１は、ＣＰＵ２１に対してパスワードの読み出しを指示してフラッシュＲＡＭ２２に書き込まれたパスワードを取得し、フラッシュＲＡＭ１６に記録されたパスワードと照合する。
【００５９】
ＣＰＵ１１は、フラッシュＲＡＭ２２のパスワードとフラッシュＲＡＭ１６のパスワードとが一致するか否かを判別し（ステップＳ１２）、一致すると判別すると（ステップＳ１２にてＹＥＳ）、再生装置１による情報データの再生が可能であるとして装置側照合処理を終了する（ステップＳ１３）。
【００６０】
一方、ＣＰＵ１１は、フラッシュＲＡＭ２２のパスワードとフラッシュＲＡＭ１６のパスワードとが一致しないと判別すると（ステップＳ１２にてＮＯ）、再生装置１による情報データの再生ができないとして（ステップＳ１４）、「この機器では再生できません」等の警告を表示部１８に表示させてユーザに警告し、装置側照合処理を終了する（ステップＳ１５）。
これにより、メモリ媒体２が記録する情報データの不正な読み出しを容易に防止することができる。
【００６１】
例えば、ユーザは、他人に使用されたくないメモリ媒体２には、通常使用するパスワードとは異なるパスワードを書き込んでおき、フラッシュＲＡＭ１６に書き込むパスワードを通常使用するものに変更する。そして、そのメモリ媒体２から情報を再生する際にのみ、フラッシュＲＡＭ１６のパスワードを書き換えてメモリ媒体２の情報を再生可能とすることができ、メモリ媒体２の不正使用を防止することができる。
【００６２】
また、ＣＰＵ２１は、ＣＰＵ１１との通信を開始すると、ＣＰＵ１１が上記装置側照合処理を実行するのと並行して、図３のフローチャートに示すメモリ側照合処理を開始する。
【００６３】
メモリ側照合処理を開始すると、ＣＰＵ２１は、ＣＰＵ１１との通信により、ＣＰＵ１１内部のＲＯＭに記録された第２のＩＤコードを取得する（ステップＳ２０）。
【００６４】
この後、ＣＰＵ２１は、フラッシュＲＡＭ２２を読み取り、ＣＰＵ１１から取得した第２のＩＤコードが書き込まれているか否かを判別する（ステップＳ２１）。
【００６５】
ここで、フラッシュＲＡＭ２２は、第２のＩＤコードを書き込むための書き込み領域を所定の個数だけ有しており、同一ユーザが所有する数台分の再生装置１に対応できるようになっている。例えば、フラッシュＲＡＭ２２が５個の書き込み領域を有していると、メモリ媒体２から音声や映像等の情報データを再生可能な再生装置１の数は５台までということになる。
ＣＰＵ２１は、第２のＩＤコードが書き込まれていないと判別すると（ステップＳ２１にてＮＯ）、メモリ媒体２が初めて再生装置１に接続されたとして（ステップＳ２２）、フラッシュＲＡＭ２２に第２のＩＤコードを書き込めるか否かを判別する（ステップＳ２３）。
【００６６】
ＣＰＵ２１は、第２のＩＤコードを書き込めないと判別すると（ステップＳ２３にてＮＯ）、ＣＰＵ１１を介して、「この機器では再生できません」等の警告を表示部１８に表示させてユーザに警告し、メモリ側照合処理を終了する（ステップＳ２４）。
【００６７】
一方、ＣＰＵ２１は、第２のＩＤコードを書き込めると判別すると（ステップＳ２３にてＹＥＳ）、第２のＩＤコードをフラッシュＲＡＭ２２に書き込んでメモリ側照合処理を終了する（ステップＳ２５）。
これにより、メモリ媒体２は、音声や映像等の情報を再生可能な再生装置１の数を制限して、不正使用を防止することができる。
【００６８】
また一方、ＣＰＵ２１は、ステップＳ２１にて、フラッシュＲＡＭ２２に第２のＩＤコードが書き込まれていると判別すると（ステップＳ２１にてＹＥＳ）、２回目以降の接続であるとして、メモリ側照合処理を終了する（ステップＳ２６）。
【００６９】
このようにして、再生装置１及びメモリ媒体２における照合処理が終了し、メモリ媒体２に記録された音声や映像が再生可能となると、ＣＰＵ１１は、表示部１８に「ＯＫ」などのメッセージを表示させて、ユーザに対して使用可能となったことを通知する。
【００７０】
この後、ユーザが操作キー１７の再生キー（図示せず）を押下する等して、メモリ媒体２に記録された音声や映像等の情報の再生を指示すると、この情報再生システムは、図４のフローチャートに示すデータ読出処理を開始する。
【００７１】
データ読出処理を開始すると、ＣＰＵ１１は、ＣＰＵ２１に情報データの読み出しを要求する読出要求信号を送信する（ステップＳ３０）。
【００７２】
ＣＰＵ２１は、読出要求信号を受けると、ＲＯＭ２３にアクセスし、圧縮等のエンコードが施された音楽情報データ又は映像情報データをデコードするためのプログラムデータを、ＤＳＰ１２を介してＲＡＭ１３に転送させる（ステップＳ３１）。
これにより、ＤＳＰ１２は、ＲＡＭ１３に格納されたプログラムデータを順次読み出し、プログラムデータに応じたデコード処理を実行して、メモリ媒体２に記録された音楽情報データ又は映像情報データをデコードすることができる。
【００７３】
この後、ＣＰＵ２１は、ＲＯＭ２３から音楽情報データや映像情報データ等の情報データをＤＳＰ１２に転送させる（ステップＳ３２）。
【００７４】
ＤＳＰ１２は、ＲＯＭ２３から受けた音楽情報データ又は映像情報データをデコードする処理を実行して、得られたデータをバッファ１４及びＤＡＣ１５に供給し、出力端子Ｔ１，Ｔ２から音声信号又は映像信号を出力することで情報の再生を開始する（ステップＳ３３）。
【００７５】
このように、デコード用のソフトウェアとしてのプログラムデータと、エンコードされた音声又は映像データとが一組として、メモリ媒体２のＲＯＭ２３に書き込まれている。このため、ＲＯＭ２３の記録内容は、直接他の機器にコピーすることができず、エンコードされた音声又は映像情報データだけをコピーすることができても、この情報をデコードすることができない。すなわち、ＲＯＭ２３からＲＡＭ１３に転送されるデコード用のプログラムデータは、再生装置１の外部には取り出すことができない。これは、このプログラムデータは、ＣＰＵ１１及び２１によって制御されていて、ＲＡＭ１３にしか転送できないようになっているためである。
【００７６】
上述したように、メモリ媒体２のＲＯＭ２３に圧縮等のエンコードが施されたデータとこれをＤＳＰ１２によりデコードするためのプログラムデータが記録されているので、種々のエンコード方式に従ったエンコードフォーマットであっても再生装置１で再生することができる。
また、上述した情報再生システムでは第１のＩＤコード、第２のＩＤコード及びパスワードの照合が必要であるので、他人に貸し出すなどの不正使用を効果的に制限することができる。
さらに、再生装置１及びメモリ媒体２の両方にそれぞれＣＰＵ１１とＣＰＵ２１が介在しているので、第１のＩＤコード、第２のＩＤコード、パスワード等が書き込まれるフラッシュＲＡＭ１６，２２の内容は書き換えにくい。しかも、このため、再生装置１によりデコードされた信号はコピーすることができるが、メモリ媒体２のコピーを作ることはできない。
【００７７】
この発明は、上記実施の形態に限定されず、様々な変形及び応用が可能である。例えば、上記実施の形態では、メモリ媒体２のＲＯＭ２３は、音楽情報データ又は映像情報データを記録するものとして説明したが、これに限定されず、家庭用テレビゲーム機により実行されるゲームソフトや個人情報データ等の任意のデータを記録することができる。
【００７８】
また、上記実施の形態では、コネクタＣ１１とコネクタＣ２１とを接続し、コネクタＣ１２とコネクタＣ２２とを接続して情報データ等の授受を行うものとして説明したが、これに限定されず、例えば電磁波信号を送受信することにより、非接触で情報データ等の授受を行うようにしてもよい。
この場合には、コネクタＣ１１，Ｃ１２，Ｃ２１，Ｃ２２を、それぞれ発光素子と受光素子とを備えて電磁波信号の送受信を可能とする素子に置き換え、再生装置１が、メモリ媒体２との間で電磁波信号による通信を可能とするようにメモリ媒体２を保持するようにすればよい。
【００７９】
【発明の効果】
以上説明したように、この発明によれば、簡単な構成で、種々の圧縮等のエンコード方式に柔軟に対応することができ、不正使用を容易に防止することのできる情報再生システム及び情報再生装置を提供することができる。
【図面の簡単な説明】
【図１】この発明の実施の形態に係る情報再生装置を適用した情報再生システムの構成を模式的に示すブロック図である。
【図２】装置側照合処理を説明するためのフローチャートである。
【図３】メモリ側照合処理を説明するためのフローチャートである。
【図４】データ読出処理を説明するためのフローチャートである。
【図５】従来の情報再生装置を適用した情報再生システムの構成の一例を模式的に示すブロック図である。
【符号の説明】
１，１００    再生装置
２，２００    メモリ媒体
１１，２１，１０１    ＣＰＵ
１２    ＤＳＰ
１３    ＲＡＭ
１４，１０３    バッファ
１５，１０４    ＤＡＣ
１６，２２    フラッシュＲＡＭ
１７，１０５    操作キー
１８，１０６    表示部
１９，１０７    受光部
２３，２０１    ＲＯＭ
１０２    デコーダ
Ｃ１１，Ｃ１２，Ｃ２１，Ｃ２２
Ｃ１０１，Ｃ２０１          コネクタ
Ｔ１，Ｔ２，Ｔ１１，Ｔ１２    出力端子
【図１】
0003782612.tif 000002
【図２】
0003782612.tif 000003
【図３】
0003782612.tif 000004
【図４】
0003782612.tif 000005
【図５】
0003782612.tif 000006